(57)【要約】  本発明は、髪の毛を真っ直ぐにし、髪の毛をカールさせ、及び／又は、髪の毛にボリュームを出すためのヘアケア装置１０であって、第１の長手軸３０に沿って延在し、第１の加熱チップ２０に結合された第１のハンドル部１６を有する、第１の顎１２と、第２の長手軸３２に沿って延在し、第２の加熱チップ２２に結合された第２のハンドル部１８を有する、第２の顎１４と、を有し、第１の加熱チップ２０は、凸状の第１の加熱表面３４とユーザを火傷から防ぐための距離素子３６，４０、好ましくは、複数のとげ又はリブ４０を有するとげ板３６とを持ち、距離素子は、凸状の第１の加熱表面３４とは反対側の第１の加熱チップ２０の側３８に配置され、第１の加熱チップ２０は、ユーザが、第１のハンドル部１６に対して、第１の長手軸３０周りに、第１の加熱チップ２０を回転させることができるように、第１のハンドル部１６に回転可能に結合され、第１及び第２の顎１２，１４は、互いに結合され、ハンドル部１６，１８を介して、開位置と閉位置との間で互いに対して可動である、ヘアケア装置に関する。
2016526940.tif 000002
【特許請求の範囲】
【請求項１】
髪の毛を真っ直ぐにし、髪の毛をカールさせ、及び／又は、髪の毛にボリュームを出すためのヘアケア装置であって、
第１の長手軸に沿って延在し、第１の加熱チップに結合された第１のハンドル部を有する、第１の顎と、
第２の長手軸に沿って延在し、第２の加熱チップに結合された第２のハンドル部を有する、第２の顎と、
を有し、
前記第１の加熱チップは、凸状の第１の加熱表面とユーザを火傷から防ぐための距離素子とを持ち、
前記距離素子は、前記凸状の第１の加熱表面とは反対側の前記第１の加熱チップの側に配置され、
前記第１の加熱チップは、ユーザが、前記第１のハンドル部に対して、前記第１の長手軸周りに、前記第１の加熱チップを回転させることができるように、前記第１のハンドル部に回転可能に結合され、
前記第１及び第２の顎は、互いに結合され、前記第１及び第２のハンドル部を介して、開位置と閉位置との間で互いに対して可動である、ヘアケア装置。
【請求項２】
前記距離素子は、複数のとげ又はリブを持つとげ板を有する、請求項１記載のヘアケア装置。
【請求項３】
前記第１及び第２の顎は、ユーザが、互いに対して、前記開位置と前記閉位置との間のヒンジ軸周りに、前記第１及び第２の顎を旋回させることができるように、互いに対してスイベルマウントされており、前記ヒンジ軸は、前記第１及び第２の長手軸と交差している、請求項１記載のヘアケア装置。
【請求項４】
前記第１の加熱チップは、前記とげ板が前記第２の加熱チップの方を向いている第１の位置と、前記とげ板が前記第２の加熱チップから離れる方向を向いている第２の位置との間で、前記第１のハンドル部に対して前記第１の長手軸周りに回転可能である、請求項１記載のヘアケア装置。
【請求項５】
前記第１の加熱チップは、およそ三日月形状断面を持つ、請求項１記載のヘアケア装置。
【請求項６】
前記第２の加熱チップは、
前記第１の加熱チップから離れる方を向いている側における凸状の第２の加熱表面と、
前記第１の加熱チップの方を向いており、前記第１の加熱チップの前記第１の加熱表面の外縁にマッチする凹状の輪郭を少なくとも部分的に持つ、第３の加熱表面と、
を有する、請求項１記載のヘアケア装置。
【請求項７】
前記第１の加熱チップが前記第１の位置にあるとともに、前記第１及び第２の顎が前記閉位置にある場合に、前記第２の加熱チップから距離を空けて前記距離阻止を維持するように構成された少なくとも１つの機械的止め具素子を更に有する、請求項４記載のヘアケア装置。
【請求項８】
前記第１の顎は、ユーザが、前記第１の加熱チップを前記第１のハンドル部に対して回転できるように、前記第１の加熱チップの自由端において、第１の把持素子を有し、前記第１の加熱チップの前記自由端は、前記第１の加熱チップが前記第１のハンドル部に接続される反対側にある、請求項１記載のヘアケア装置。
【請求項９】
前記第１の把持素子は、前記第１の加熱チップから熱的に絶縁されており、耐熱性合成材料を有する、請求項８記載のヘアケア装置。
【請求項１０】
前記第２の顎は、前記第２の加熱チップの自由端において、第２の把持素子を有し、前記第２の加熱チップの前記自由端は、前記第２の加熱チップが前記第２のハンドル部に接続される反対側にある、請求項８又は９に記載のヘアケア装置。
【請求項１１】
前記少なくとも１つの機械的止め具素子は、前記第１及び／又は第２の把持素子において配置される、請求項１０記載のヘアケア装置。
【請求項１２】
前記第１及び第２の顎が前記閉位置にある場合に、前記第１の加熱チップが前記第１のハンドル部に対して回転することを防ぐためのロック機構を更に有する、請求項１記載のヘアケア装置。
【請求項１３】
前記第１及び第２の把持素子は、マッチング外縁を持ち、前記第１及び第２の顎が前記閉位置にある場合に、前記第１の加熱チップが前記第１のハンドル部に対して回転することを防ぐためのロック機構が、前記第１の加熱チップが前記第２の位置にあるとともに、前記第１及び第２の顎が前記閉位置にある場合に、互いに整合する前記マッチング外縁によって実現される、請求項１０記載のヘアケア装置。
【請求項１４】
前記とげ板は、前記第１の加熱チップから熱的に絶縁されており、耐熱性合成材料を有する、請求項２記載のヘアケア装置。
【請求項１５】
前記とげ又はリブは、前記とげ板から突き出ており、複数の前記とげ又はリブは、柔軟であり、丸みを帯びた自由端を有する、請求項２記載のヘアケア装置。
【請求項１６】
前記とげ板は、前記とげ板が前記第２の顎に対向している場合に格納され、前記とげ板が前記第２の顎に対向していない場合に格納されない、複数の格納可能なとげを有する、請求項２記載のヘアケア装置。
【発明の詳細な説明】
【技術分野】
【０００１】
本発明は、ヘアケア及びヘアスタイリングの分野に関する。特に、本発明は、髪の毛を真っ直ぐにし、髪の毛をカールさせ、及び／又は、髪の毛にボリュームを出すためのヘアケア装置に関する。
【背景技術】
【０００２】
ヘアスタイリング機器が、一般的に知られており、ストレートヘアアイロン、ヘアカーラー、ホットコーム、及び、髪の毛にボリュームを出すための装置を含んでいる。
【０００３】
しばしばヘアアイロンとも呼ばれるヘアストレーナは、髪の毛を真っ直ぐにするために用いられる。ヘアストレーナは、通常、髪の毛をつまむために蝶番で留められた２つの顎を有する。各顎は、構造化された、又は、構造化されていない板（ここでは、加熱チップ又は加熱バレルとも呼ばれる）を有し、これらの板のいずれか又は両方が、ヒータにより直接的又は間接的に加熱される。更なる加熱制御システムが、上記板のいずれか又は両方の温度を調整するために追加されてもよい。ヘアストレーナは、通常、メイン電源から供給される電気によって給電されるか、又は、バッテリ駆動される。
【０００４】
髪の毛を真っ直ぐにするために、髪の毛がヘアストレーナ内に挿入され、２つの加熱チップ（加熱板）の間でつままれる。また、ヘアストレーナの２つの顎は、２つの顎がお互いから離れている開位置から、２つの顎が互いに少なくとも部分的に接触している閉位置に動かされ得る。ヒンジは、通常、ヘアストレーナの後端に付与される。当該ヒンジは、ユーザが、開位置と閉位置との間でヒンジ軸周りに顎の少なくとも１つを旋回できるように、２つの顎を互いに結合する。
【０００５】
ヘアカーラーは、通常、髪の毛がカールを作るように包まれ得る、加熱される円筒形状カールアイロンチップを有する。これらのヘアカーラーは、ハンドルを有していてもよく、手動で髪の毛毎に毛をカールするために、ヘアストレーナと同様の形状を有していてもよく、又は、ユーザは、髪の毛が周りに包まれるようにクランプを介してユーザの頭の上に直接固定される複数のヘアカーラー素子のセットを備えていてもよい。
【０００６】
既知のほとんどの従来技術のヘアスタイリング装置は、専用の装置であり、髪の毛を真っ直ぐにし、カールさせ、又は、髪の毛にボリュームを出すために特別に設計されている。従って、ユーザは、それぞれが各専用のヘアスタイリング機器のための装置である、複数の異なるヘアスタイリング装置を持つ必要がある。このことは、勿論、費用が増すだけでなく、専用のバスルームなどにおいて、多くの空間を占めることとなる。
【０００７】
英国特許出願公開第１５１９９３０号明細書は、（ａ）カーリング又はウェービング機器、又は、（ｂ）必要であればカール又はウェーブを除去できるヘアストレーナ、のいずれかとして用いることが可能な携帯用電気ヘアドレッシング機器について述べている。当該機器は、波形を有する表面と滑らかな反対面をそれぞれ持つ２つのヒータユニットを有し、これは、２つの波形表面、又は、２つの滑らかな表面が接触するように供給されることを意味する。２つの表面の波形は、互いにマッチする。ヒータユニットは、手動で１８０°回転されることによって、ある位置から他の位置へ変えられる。
【０００８】
米国特許第６６２７８５２号は、回転可能な非対称の加熱チップを有するカーリングアイロンについて開示している。このカーリングアイロンは、同一の装置により、髪の毛をカールさせ、且つ、真っ直ぐにすることを可能にしている。即ち、２イン１の解決法を提供している。ユーザは、ハンドル長さ方向に沿った長手方向の回転軸周りに非対称の加熱チップのいずれかを回転させることによって、カーリングモードからストレーナモードに、又は、その逆に、装置設定を変えることができる。従って、ユーザは、同一の装置を使用しながら、ヘアストレーナとヘアカーラーとを容易に切り替えることができる。
【発明の概要】
【発明が解決しようとする課題】
【０００９】
しかしながら、なお改善の余地がある。米国特許第６６２７８５２号から知られている上記装置が、同一の装置によりヘアカーラーとヘアストレーナとを可能としても、当該装置は、例えば、髪の毛にボリュームを出すためのヘアスタイリングの態様のために適合することを可能としていない。
【課題を解決するための手段】
【００１０】
本発明の目的は、代替的な、更に改善されたヘアケア装置を提供することである。本発明は、独立請求項によって規定される。本発明の好適な実施形態が、従属請求項において規定されている。
【００１１】
本発明の一実施形態は、髪の毛を真っ直ぐにし、髪の毛をカールさせ、及び／又は、髪の毛にボリュームを出すためのヘアケア装置であって、第１の長手軸に沿って延在し、第１の加熱チップに結合された第１のハンドル部を有する、第１の顎と、第２の長手軸に沿って延在し、第２の加熱チップに結合された第２のハンドル部を有する、第２の顎と、を有し、前記第１の加熱チップは、凸状の第１の加熱表面とユーザを火傷から防ぐための距離素子とを持ち、前記距離素子は、前記凸状の第１の加熱表面とは反対側の前記第１の加熱チップの側に配置され、前記第１の加熱チップは、ユーザが、前記第１のハンドル部に対して、前記第１の長手軸周りに、前記第１の加熱チップを回転させることができるように、前記第１のハンドル部に回転可能に結合され、前記第１及び第２の顎は、互いに結合され、前記第１及び第２のハンドル部を介して、開位置と閉位置との間で互いに対して可動である、ヘアケア装置を提供する。
【００１２】
ある実施形態は、異なるヘアスタイリングのより多くの態様のために使用され得る。好適な実施形態では、ヘアケア装置は、髪の毛を真っ直ぐにし、髪の毛をカールさせ、及び、髪の毛にボリュームを出すのに適しているべきである。毛根における増加されたボリュームは、同一の装置により、いかなる付属品も用いることなく、良好なストレーナ及びカーリング性能とともに達成されることができる。この実施形態では、ヘアケア装置は、３イン１の解決法を提供する。同一の装置により、髪の毛を真っ直ぐにし、髪の毛をカールさせ、髪の毛にボリュームを出すことを可能としている。ユーザは、ストレーナモード、カーリングモード、又は、ボリュームモード間において、機械的に容易な方法で、設定をわずかに修正するだけでよい。わずかに数ステップが必要とされるだけである。
【００１３】
本発明に従ったヘアケア装置は、一般的に、互いに結合されるとともに、各顎に１つずつ配置された２つの異なるハンドル部を用いて開位置と閉位置との間で互いに対して可動である、２つの顎を具備するヘアストレーナのように作られる。米国特許第６６２７８５２号に示される装置と同様に、ユーザが、第１の長手軸周りに、第１のハンドル部に対して第１の加熱チップを回転できるように、第１の加熱チップとここでは称される加熱チップの１つが、同一の顎の対応するハンドル部（ここでは、第１の顎の第１のハンドル部と称される）に回転可能に結合される。このことは、ユーザが、第１の加熱チップを回転させることによって、ストレーナモードとカーリングモードとの間を切り替えできるようにする。
【００１４】
そこから逸脱して、本発明の好適な実施形態に従った装置は、ユーザの頭皮に対して距離を空けるように作用し得る複数のとげ又はリブを持つとげ板を有する。このとげ板は、ストレーナ及びカーリングのために用いられる凹状の第１の加熱表面が配置された側と反対の側に配置された第１の加熱チップの後端に配置される。
【００１５】
ボリュームモードでは、ユーザは、ボリュームアップされる髪の毛を第２の顎の第２の加熱チップの上にガイドしつつ、とげ板上に配置されたとげで頭皮に接触することができる。これにより、とげは、一種の頭皮熱保護として機能し、加熱チップのいずれかによる火傷からユーザを保護する。従って、消費者は、容易に、火傷の恐れなく、頭皮の近くに上記装置を保持することができる。このことは、毛根から髪のボリュームを出すことを著しく簡単にする。とげの代わりに、リブ、ノブ、又は、任意の他の距離素子が、この種類の加熱保護機能のために用いられてもよいことに留意すべきである。
【００１６】
とげ板は、好ましくは、針のむしろのような、仮想的な平面を形成するアレイにおいて配置される複数のとげ又はリブを有する。小さいピン状のとげを用いる代わりに、とげ板上に横方向に配置される真っ直ぐなリブが、用いられてもよい。とげ板のとげによって形成される上述の仮想面は、凹状であってもよい。このことは、異なる長さのとげによって、又は、とげ／リブが配置される凹状の接地板を供給することによって、達成され得る。
【００１７】
一実施形態によれば、第１の加熱チップは、とげ板が第２の加熱チップの方を向いている第１の位置と、とげ板が第２の加熱チップから離れる方向を向いている第２の位置との間で、第１の長手軸周りに、第１のハンドル部に対して回転可能である。
【００１８】
第１の位置から第２の位置に第１の加熱チップを変えるため、第１の加熱チップは、好ましくは、長手軸周りに、１８０°回転される。
【００１９】
第１の位置は、カーリングのために用いられ得る。この位置において、第１の加熱チップの上側に配置された凹状の第１の加熱表面が、ヘアケア装置の外側表面を形成する。上記第１の加熱表面は、好ましくは、流線型の丸みを帯びた表面、又は、半円状の表面である。顎が閉位置へ移行される場合、髪の毛は、髪の毛のカールを作るために、２つの加熱チップに巻き付かれてもよい。
【００２０】
第１の加熱チップが第２の位置に移行される場合、本発明のヘアケア装置は、髪の毛を真っ直ぐにするために、又は、髪の毛にボリュームを出すために用いられ得る。第２の位置において、とげ板は、外側を向く一方、第１の加熱チップの凹状の第１の加熱表面は、第２の加熱チップの方へ内側を向いている。
【００２１】
髪の毛を真っ直ぐにするため、髪の毛が、凹状の第１の加熱表面と第２の加熱チップの加熱表面（ここでは、以下に示すように、第３の加熱表面と称される）との間で、第１の加熱チップと第２の加熱チップとの間につままれ得る。
【００２２】
毛根から髪の毛にボリュームを出すために、とげ板は、第１の加熱チップの第２の位置にあってもよく、このとき、髪の毛を加熱し、ボリュームが増した髪の毛を作るために、処理される髪の毛が第２の加熱チップの上にガイドされつつ、ユーザの頭皮に接触している。
【００２３】
髪の毛を真っ直ぐにし、髪の毛をカールさせ、髪の毛にボリュームを出すことが、顎の閉位置において、全て行なわれる。特に、髪の毛をカールさせ、髪の毛にボリュームを出すため、この顎の閉位置は、単純な機械的なロック機構によってロックされてもよい。異なるヘアスタイリング機器のための装置設定における違いは、第１の加熱チップの位置だけである。カーリングは、第１の加熱チップの第１の位置においてなされる一方、髪の毛を真っ直ぐにすること、及び、髪の毛にボリュームを出すことは、第１の加熱チップの第２の位置において実行される。
【００２４】
第１の加熱チップは、好ましくは、三日月形状の断面を持つ。半円状の上側に、流線型の第１の加熱表面が配置され、一方、とげ板は、平面状の底側に配置及び接続される。上述のように、とげ板は、（第１の加熱チップの第２の位置において）髪の毛にボリュームを出すため「だけ」に用いられ、一方、流線型の半円状の第１の加熱表面は、第１の加熱チップの位置に依存して、カーリング（第１の位置）又はストレーナ（第２の位置）のために用いられる。
【００２５】
「第１」、「第２」、及び、「第３」なる用語は、特定の部位の全体の数について述べたものではないが、ここでは、本発明に従った装置の類似又は対応する部位を区別するために用いられていることに留意すべきである。
【００２６】
他の実施形態によれば、第２の加熱チップは、第１の加熱チップから離れる方を向いている側における凸状の第２の加熱表面と、第１の加熱チップの方を向いており、第１の加熱チップの第１の加熱表面の外縁にマッチする凹状の輪郭を少なくとも部分的に持つ、第３の加熱表面と、を有する。
【００２７】
添付の図面及び図面の詳細な説明からより明らかとなるように、凹状の第２の加熱表面は、好ましくは、第１の加熱チップにおいて配置される第１の加熱表面と同様の形状を持つ。この第２の加熱表面は、カーリング又は髪の毛にボリュームを出すために用いられ得る。ストレーナモードでは、髪の毛は、第１の加熱チップの第１の加熱表面と第２の加熱チップの第３の加熱表面との間でつままれる。第３の加熱表面は、第１の加熱表面の外縁にマッチする凹状の輪郭を持つため、髪の毛は、最適な方法で真っ直ぐにされ得る。互いにマッチする丸みを帯びた凹状／凸状の加熱表面は、平坦な加熱表面に比して、改善されたストレーナ性能をもたらす、拡大された加熱領域を作る。より重要なことは、マッチングする凹状／凸状の加熱表面が、それらの間につままれた毛に対して増加された抵抗を作るということである。このことは、平坦な加熱表面を具備するヘアストレーナに比して、ストレーナ性能をさらに改善する。しかしながら、好ましくは、第３の加熱表面の一部のみ、例えば、中間部分のみが、凹形状を有することに留意すべきである。第３の加熱表面の側部は、好ましくは、平坦である。このことは、髪の毛の不要なねじれを防止する。
【００２８】
他の好適な実施形態によれば、ヘアケア装置は、第１の加熱チップが第１の位置にあるとともに、顎が閉位置にある場合に、とげ板のとげ又はリブを第２の加熱チップから距離を空けて維持するように構成された少なくとも１つの機械的止め具素子を更に有する。
【００２９】
この機械的止め具阻止は、とげ板が第２の加熱チップ（第３の加熱表面）と接触することを防止する。そうでなければ、とげ板は、第２の加熱チップの高温により損傷する可能性がある。このようにして、とげ板は、熱くなり過ぎない。第１の加熱チップを第１の位置から第２の位置に切り替える場合、ユーザの頭皮の火傷のリスクを生じさせることなく、髪の毛にボリュームを出す間、加熱チップは、ユーザの頭皮に瞬時に接触し得る。
【００３０】
他の実施形態によれば、第１の顎は、ユーザが、第１の加熱チップを第１のハンドル部に対して回転できるように、第１の加熱チップの自由端において、第１の把持素子を有し、第１の加熱チップの自由端は、第１の加熱チップが第１のハンドル部に接続される反対側にある。
【００３１】
上記第１の把持素子は、好ましくは、第１の加熱チップから熱的に絶縁され、耐熱性合成材料を有する。
【００３２】
従って、ユーザは、上述の第１の把持素子を用いることによって、第１の位置と第２の位置との間で、第１の加熱チップを容易に回転することができる。この把持素子は、様々な態様における形状であってもよい。この把持素子は、好ましくは、ユーザの快適性を増すために、人間工学に基づいた形状を持つ。上記把持素子は、好ましくは、第１の顎の遠心端に配置され、第１の長手軸周りに延在する。上記把持素子の熱絶縁のため、ユーザが火傷する危険は全くない。
【００３３】
他の好ましい実施形態によれば、第２の顎も、上記の把持素子を有する。この把持素子は、ここでは、第２の把持素子と称され、第２の加熱チップの自由端に配置される。従って、ユーザは、その自由端における顎を把持してもよい。このことは、安全な態様で第１の加熱チップを回転させることを極めて簡単にする。
【００３４】
他の実施形態によれば、上述の少なくとも１つの機械的止め具は、第１の把持素子及び／又は第２の把持素子において配置される。この場合、把持素子は、次の２つの機能（１）、（２）を有する。即ち、（１）２つの位置の間で第１の加熱チップを回転させるための機能、（２）第１の加熱チップが第１の位置にあり、顎が閉位置に移行された場合に、とげ板が第２の加熱チップと接触することを防ぐための機械的止め具として作用する機能である。
【００３５】
他の実施形態によれば、ヘアケア装置は、顎が閉位置にある場合に、第１のハンドル部に対する第１の加熱チップの回転を防止するロック機構を有する。このことは、使用中、第１の加熱チップの不要な回転を防止する。ロック機構は、第１の加熱チップを第１の位置又は第２の位置に固定し、これにより、正確な態様で、２つの位置を機械的に規定する。
【００３６】
一実施形態によれば、これは、好ましくは、第１及び第２の把持素子が、マッチングする外縁を持ち、第１の加熱チップが第２の位置にあり、顎が閉位置にある場合に、ロック機構が、前記マッチングする外縁が互いに整合することによって実現される。両方の把持素子は、例えば、整合する波状又は波形形状を有する。ロック機構を実現するための拡張部品は、この場合、必要ではない。
【００３７】
始めの方で既に述べたように、とげ板は、本発明の主要な特徴の１つを形成している。一実施形態によれば、とげ板は、第１の加熱チップから熱的に絶縁され、耐熱性合成材料を有する。
【００３８】
ポリアミドのような材料が、例示的に用いられてもよい。ポリアミド又は他のプラスチックは、極めて低い熱伝導性を持ち、これは、この場合における主な利点の１つである。既述のように、とげ板は、ボリュームモードの間、火傷からユーザを保護すべきである。加熱チップは、使用中、極めて熱くなる（およそ１５０℃以上）ため、耐熱性は、好適である。これは、例えば、とげ板と第１の加熱チップとの間に熱絶縁性の中間層を配置することによって、なされ得る。
【００３９】
他の態様は、上記とげ又はリブによって供給される、ユーザの快適性に関する。一実施形態によれば、とげ又はリブは、とげ板から突き出ており、とげ又はリブの大きさは、柔軟であり、丸みを帯びた自由端を有している。勿論、全てのとげ又はリブが、柔軟であり、丸みを帯びた自由端を有していてもよい。このことは、ユーザのためのより大きな快適性に役立つ。
【図面の簡単な説明】
【００４０】
本発明のこれらの態様及び他の態様が、以下に説明される実施形態を参照して、明らか且つ明確となるであろう。
【図１】図１は、斜視図（図１ａ）及び側面図（図１ｂ）において、開位置にあるヘアケア装置の一実施形態を示している。
【図２】図２は、斜視図（図２ａ）及び側面図（図２ｂ）において、閉位置にあるヘアケア装置の実施例を示している。
【図３】図３は、第１の位置におけるヘアケア装置の前面部の拡大図を示している。
【図４】図４ａ及び図４ｂは、第２の位置におけるヘアケア装置の前面部の拡大図を示している。
【図５】図５は、第１の位置（図５ａ）及び第２の位置（図５ｂ）におけるヘアケア装置の前面からの上面図を示している。
【図６】図６は、ヘアケア装置が用いられる異なるタイプ（ストレーナ（図６ａ）、カーリング（図６ｂ）、ボリューム出し（図６ｃ））の実際のアプリケーションを示している。
【図７】図７ａ〜図７ｃは、格納可能なとげを持つ第１の実施形態を示している。
【図８】図８ａ〜図８ｃは、格納可能なとげを持つ第１の実施形態を示している。
【図９】図９ａ及び図９ｂは、格納可能なとげを持つ第２の実施形態を示している。
【発明を実施するための形態】
【００４１】
図１は、本発明に従ったヘアケア装置の一実施形態を示している。当該ヘアケア装置は、全体に対して、参照符号１０が付されている。
【００４２】
ヘアケア装置１０は、２つの顎、第１の顎１２と第２の顎１４とを有する。第１及び第２の顎１２，１４は、装置１０の主な筺体部分を形成している。各顎１２，１４は、ハンドル部１６，１８と、ハンドル部１６，１８に結合された加熱チップ２０，２２とを有する。第１のハンドル部１６及び第１の加熱チップ２０は、第１の顎１２において配置されている。第２のハンドル部１８及び第２の加熱チップ２２は、第２の顎１４において配置されている。加熱チップ２０，２２の両方は、ここでは、加熱板２０，２２又は加熱バレル２０，２２とも称される。
【００４３】
図示の実施形態では、ヘアケア装置１０は、従来のヘアストレーナと同様の態様で形成されている。２つの顎１２，１４は、開位置（図１ａ及び図１ｂ参照）と閉位置（図２ａ及び図２ｂ参照）との間で、互いに対して可能である。これは、ヒンジ２４により通常実現され、当該ヒンジ２４を介して、２つの顎１２，１４は結合される。ヒンジ２４は、通常、装置１０の後端２６において、又は、後端２６の近傍に配置される。ヒンジ２４は、ユーザが、顎１２，１４の少なくともいずれかをヒンジ軸２８周りに旋回／回転させることができるようにする。追加的なバネ素子（図示省略）が、２つの顎１２，１４を開位置（図１ａ及び図１ｂ参照）にする力を供給してもよい。
【００４４】
２つの加熱チップ２０，２２は、ヒータ（図示省略）によって加熱される。このヒータは、好ましくは、加熱チップ２０，２２内に一体化される。この種類のヒータは、多くの異なる方法で実現されることができる。通常、誘導ヒータ又はＰＴＣヒータが用いられる。これらのヒータは、メイン供給される電気によって給電されるか、バッテリ駆動されることができる。
【００４５】
本発明の主要目的の１つは、２つの加熱チップ２０，２２の形状及び機能に関する。加熱チップ２０，２２の両方は、一般的に、三日月形状の断面を有し、長手軸に沿って実質的に延在している。第１の加熱チップ２０は、第１の長手軸３０に沿って、実質的に延在しており、第１のハンドル部１６も、第１の長手軸３０に沿って、延在している。第２の加熱チップは、第２の長手軸３２に沿って、実質的に延在しており、第２のハンドル部１８も、第２の長手軸３２に沿って、延在している。
【００４６】
第１の加熱チップ２０は、凹状の第１の加熱表面３４をその上側に有している。この第１の加熱表面３４は、好ましくは、流線型の表面である。第１の加熱表面３４と反対側であり、そこから離れる方向を向いている第１の加熱チップ２０の後ろ側３８に、加熱チップ２０は、とげ板３６を有している。このとげ板３６は、距離素子として機能する複数のとげ又はリブ４０を有しており、これについては、以下においてより詳細に説明される。
【００４７】
第２の加熱チップ２２は、好ましくは、その周囲面の全周で加熱される。第２の加熱チップ２２は、外側に配置され、第１の加熱チップ２０から離れる方向を向いている、凹状の第２の加熱表面４２を有する。第１の加熱チップ２０に対向している反対側には、第３の加熱表面４４を有している。この第３の加熱表面４４は、好ましくは、第１の加熱チップ２０の第１の加熱表面３４の外面形状とマッチする凹状の輪郭を少なくとも部分的に持つ。これらのマッチする輪郭の理由が、以下で明らかとなるであろう。
【００４８】
他の主要目的は、第１の加熱チップ２０の回転可能性である。第１の加熱チップ２０は、長手軸３０周りに、第１のハンドル部１６に対して回転可能である。もたらされるヘアスタイリングのタイプ（ヘアストレーナ、ヘアカーラー、又は、ヘアボリューム）に依存して、第１の加熱チップ２０は、第１の位置（図３参照）と第２の位置（図４参照）との間で回転されることができる。
【００４９】
図３ａ及び図３ｂの拡大図で図示される第１の位置において、第１の加熱チップ２０は、とげ板３６が、第２の加熱チップ２２の方へ、特に、第３の加熱表面４４の方へ向くように配置されている。第１の加熱表面３４は、上方を向き、装置１０の外表面を形成する。第１の加熱チップ２０のこの位置では、装置１０は、ヘアカーラーとして用いられることができる。これは、図６ｂに概略的に図示されている。この場合における装置１０は、２つの外側凹状加熱表面３４，４２を有しているので、毛をカールさせるために、髪の毛は、これらの２つの表面に巻き付けられる。顎１２，１４は、この場合、閉じられている。操作性を向上させるために、ユーザが、閉位置（図２に示される位置）に顎１２，１４をロックできるようにするロック機構が、供給されてもよい。
【００５０】
図４ａ及び図４ｂにおける拡大図で示されるように、第１の加熱チップ２０が第２の位置に回転された場合、とげ板は、上方、即ち、第２の加熱チップ２２から離れる方向を向く。この場合における第１の加熱表面３４は、第２の加熱チップ２２の方、即ち、第３の加熱表面４４の方向を向く。
【００５１】
第１の加熱チップ２０の第２の位置において、装置１０は、２つの異なるタイプのヘアスタイリングのために用いられ得る。装置１０は、図６ａに概略的に図示されるように、ヘアストレーナのために用いられ、又は、図６ｃに概略的に図示されるように、毛根から髪の毛にボリュームを出すために用いられてもよい。
【００５２】
装置１０をヘアストレーナとして用いるために、髪の毛は、髪の束ごとに２つの顎１２，１４によって、即ち、第１の加熱表面３４と第３の加熱表面４４との間につままれてもよい（図６ａ参照）。第１の加熱表面３４及び第３の加熱表面４４の２つのマッチング輪郭は、この場合、特に好適である。凸状及び凹状の加熱表面３４，４４のため、髪の毛を真っ直ぐにする間、髪の毛が通過する効果的な加熱領域が、平坦な加熱板を具備するヘアストレーナに比して、拡大される。図１ａにおいて、第３の加熱表面４４の一部のみ、即ち、中間部分のみが凹状を有することが分かる。左側及び右側で上記中間部分と隣接する第３の加熱表面４４の側部は、代わりに、好ましくは、平坦な表面として実現される。これは、主に、真っ直ぐにされる毛のねじれを防止する。
【００５３】
既述のように、ヘアケア装置１０は、第１の加熱チップ２０の第２の位置において、ボリューマイザとして使用され得る。図６ｃに図示されるように、ユーザは、装置を毛根へガイドし、髪の毛を第２の加熱チップ２２の第２の加熱表面４２の上に移動させる一方、装置１０は、とげ板３６のとげ又はリブ４０により、ユーザの頭皮と接触する。とげ板３６は、この場合、一種の火傷保護として作用する。とげ又はリブ４０は、ユーザの頭皮４６への距離素子として作用し、ユーザの頭皮４６から熱い加熱チップ２０，２２を離して維持する。
【００５４】
とげ板３６は、好ましくは、極めて低い熱伝導性を有する耐熱性合成材料で作られる。とげ板３６が熱くなり過ぎることを防止するため、とげ板３６は、第１の加熱チップ２０から熱的に絶縁されてもよい。これは、例えば、熱絶縁層を第１の加熱チップ２０ととげ板３６（図示省略）との間に配置することによって、実現されてもよい。この場合、ユーザが火傷する危険性がない。髪の毛にボリュームを出すために、ユーザは、とげ又はリブ４０を頭皮に直接接触させてもよい。このことは、頭皮にきわめて近づくこと、及び、毛根から髪の毛にボリュームを出すことを可能にする。ユーザの快適性は、丸みを帯びた先端４８を有し、少なくとも部分的に柔軟である、とげ４０を供給することによって、更に増す。
【００５５】
要約すると、これは、本発明に従ったヘアケア装置１０が、ヘアストレーナ、ヘアカーラー、ヘアボリューマイザとしての３つの異なる種類のヘアスタイリング機器のために使用され得るということを意味する。この３イン１装置は、操作性において、極めて実用的且つ容易であるだけでなく、１つのヘアスタイリング機器に１つの機能を有する、３つの異なる装置を購入するよりもずっとコストが小さい。
【００５６】
異なるモード間で切り替えるために、即ち、できるだけ簡単に第１の加熱チップ２０を回転させるために、把持素子５０，５２が、２つの顎１２，１４の自由端５４に供給されてもよい。第１の把持素子５０は、好ましくは、第１の加熱チップ２０の自由端５４に供給される。第１の把持素子５０は、ユーザが、第１のハンドル部１６に対して第１の加熱チップ２０を回転できるようにする。自由端５４は、第１の加熱チップ２０が第１のハンドル部１６に接続されている端部５６とは反対側にある、第１の加熱チップ２０の端部を示す。
【００５７】
第２の把持素子５２は、第２の加熱チップ２２の自由端５４´に配置されている。把持素子５０，５２の両方が、好ましくは、熱い加熱チップ２０，２２から熱的に絶縁されているように、「冷たい先端」を意味してもよい。結果、把持素子５０，５２は、強過ぎる態様で加熱されず、ユーザは、火傷することなく把持素子５０，５２に触れることができる。
【００５８】
把持素子５０，５２は、図５ａ及び図５ｂに図示される前面図においても見られる。図５ａは、装置１０の前側を示しており、第１の加熱チップ２０が、第１の位置にある。図５ｂは、装置１０の前側を示しており、第１の加熱チップ２０が、第２の位置にある。図５ａ及び図５ｂに見られるように、装置１０は、第１の加熱チップ２０が第１の位置にあり、顎１２，１４が閉位置にある場合に、第２の加熱チップ２２から距離を空けて、とげ板３６のとげ４０を維持するように構成された機械的止め具５８を更に有する。この位置では、とげ４０は、第２の加熱チップ２２の第３の加熱表面４４に接触しない。そうでなければ、加熱チップは、損傷し得る。とげ４０が、この位置において、加熱され過ぎる場合、これは、ユーザが第１の加熱チップ２０を第２の位置に回転させるやいなや、ユーザの頭皮をとげ４０と接触させてしまうため、ユーザにとっても危険である。
【００５９】
機械的止め具５８は、図５ａに示されるように、好ましくは、把持素子５０，５２に一体化される。把持素子５０，５２は、把持素子５０，５２の側部に突き刺さる側壁６０，６２を有する。これらの側部６０，６２は、上述のように、機械的止め具５８として機能するだけでなく、把持素子５０，５２に触れた場合に、ユーザが、熱い加熱チップ２０，２２と接触することを防ぐ保護壁としても機能する。
【００６０】
これらの側壁６０，６２の他の機能が、図５ｂに示されている。側壁６０，６２は、顎１２，１４が閉位置にあり、第１の加熱チップ２０が第２の位置にある場合に、第１のハンドル部１６に対する第１の加熱チップ２０の回転を防止するためのロック機構６４としても機能する。このことは、側壁６０，６２の端部に供給されるマッチング外縁６６，６６´によって実現される。側壁６０，６２の外縁６６，６６´は、第１の加熱チップ２０が第２の位置に配置された場合に、互いに整合する。これにより、第１の加熱チップ２０の意図しない回転が効果的に防止される。
【００６１】
外縁６６，６６´は、勿論、図５ｂに図示されるのとは異なる態様で実現されてもよいことに留意すべきである。外縁６６，６６´は、波形形状又は波状であってもよい。側壁６０，６２のいずれかに供給されるノッチ及び他の側壁６０，６２に供給されるフィッティングキーによって、それは実現されてもよい。
【００６２】
図７ａ〜図７ｃ及び図８ａ〜図８ｃは、とげ板３６が複数の格納可能なとげを有する代替的な実施形態を示している。このことは、第１の顎１２上のとげが第２の顎１４に対向している位置において、とげが熱くなり過ぎることを防ぎ、頭皮に対する効果的な距離をもたらす利点を維持しつつ、カーリングにおけるより小さいギャップの更なる利点に寄与する。
【００６３】
図７ａは、アクティブ位置におけるとげを有するとげ板を示しており、図７ｂは、格納された位置におけるとげを有するとげ板を示している。図７ｃは、第２の顎１４に対向している格納されたとげを有するヘアケア装置を示している。
【００６４】
図８ａは、ベアリング部８１のらせん状の溝を示している。図８ｂは、線形的に（約５ｍｍ）移動可能であるとげアクティベータ８３を示している。とげは、図８ａに示されるベアリング部８１のらせん状の溝によってアクティベートされ、ユニット全体が１８０°回転する。１８０°戻ってくると、ばね８５が、とげアクティベータ８３を押し戻す。図８ｃは、とげアクティベータ８３が前に動いている場合、とげ８７が回転して出てくることを示している。
【００６５】
図９ａ及び図９ｂは、とげが、回転の代わりに垂直的な移行によって出てくる、格納可能なとげを持つ第２の実施形態を示している。図９ａは、格納された位置におけるとげを示しており、図９ｂは、アクティブな位置におけるとげを示している。ベアリング部９１は、図８ａ〜図８ｃに示されるベアリング部８１に類似している。加熱チップ２０が回転された場合、ベアリング部９１は、ばね９５によって付与される力に対して、第１のとげアクティベータ部９２を右に動かし、結果、ばね９９によって付与される力に対して、第２のとげアクティベータ部８３がとげ板を上方へ押し上げ、これにより、とげ９７が、表面における開口を通じて押し出される。
【００６６】
前述ことから、本発明に従ったヘアケア装置が、異なるタイプのスタイリングニーズに用いられることができることが明らかである。これは、全く同一の装置によってなされ得る。異なるスタイリングモードの切り替えは、極めて容易に操作できる。
【００６７】
本発明が、図面及び上記説明において詳細に図示及び説明されてきたが、かかる図示及び説明は、例示的なものであって、限定的ではないと解釈されるべきであり、即ち、本発明は、開示の実施形態に限定されず、独立請求項によってのみ限定される。開示の実施形態に対する他の変形が、図面、開示、及び、添付の請求項の研究から、本発明を実施する際、当該技術分野における当業者によって、理解及び実施され得る。請求項中、「有する」なる用語は、他の要素又はステップを除外せず、単数形は、複数あることを除外しない。単一の要素又は他のユニットが、請求項い規定された幾つかの項目の機能を果たしてもよい。特定の特徴が相互に異なる従属請求項において言及されているという単なる事実は、これらの特徴の組み合わせが好適に用いられないということを示すものではない。請求項中の任意の参照符号は、本発明の範囲を限定するものとして解釈されるべきではない。
【図１ａ】
2016526940.tif 000003
【図１ｂ】
2016526940.tif 000004
【図２ａ】
2016526940.tif 000005
【図２ｂ】
2016526940.tif 000006
【図３ａ】
2016526940.tif 000007
【図３ｂ】
2016526940.tif 000008
【図４ａ】
2016526940.tif 000009
【図４ｂ】
2016526940.tif 000010
【図５ａ】
2016526940.tif 000011
【図５ｂ】
2016526940.tif 000012
【図６ａ】
2016526940.tif 000013
【図６ｂ】
2016526940.tif 000014
【図６ｃ】
2016526940.tif 000015
【図７ａ】
2016526940.tif 000016
【図７ｂ】
2016526940.tif 000017
【図７ｃ】
2016526940.tif 000018
【図８】
2016526940.tif 000019
【図９】
2016526940.tif 000020
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
髪の毛を真っ直ぐにし、髪の毛をカールさせ、及び／又は、髪の毛にボリュームを出すためのヘアケア装置であって、
第１の長手軸に沿って延在し、第１の加熱チップに結合された第１のハンドル部を有する、第１の顎と、
第２の長手軸に沿って延在し、第２の加熱チップに結合された第２のハンドル部を有する、第２の顎と、
を有し、
前記第１の加熱チップは、凸状の第１の加熱表面とユーザを火傷から防ぐための距離素子とを持ち、
前記距離素子は、前記凸状の第１の加熱表面とは反対側の前記第１の加熱チップの側に配置され、
前記第１の加熱チップは、ユーザが、ストレーナ又はボリュームモードとカーリングモードとの間の切り替えを行なうため、前記第１のハンドル部に対して、前記第１の長手軸周りに、前記第１の加熱チップを回転させることができるように、前記第１のハンドル部に回転可能に結合され、
前記第１及び第２の顎は、互いに結合され、前記第１及び第２のハンドル部を介して、開位置と閉位置との間で互いに対して可動である、ヘアケア装置。
【請求項２】
前記距離素子は、複数のとげ又はリブを持つとげ板を有する、請求項１記載のヘアケア装置。
【請求項３】
前記第１及び第２の顎は、ユーザが、互いに対して、前記開位置と前記閉位置との間のヒンジ軸周りに、前記第１及び第２の顎を旋回させることができるように、互いに対してスイベルマウントされており、前記ヒンジ軸は、前記第１及び第２の長手軸と交差している、請求項１記載のヘアケア装置。
【請求項４】
前記第１の加熱チップは、前記とげ板が前記第２の加熱チップの方を向いている第１の位置と、前記とげ板が前記第２の加熱チップから離れる方向を向いている第２の位置との間で、前記第１のハンドル部に対して前記第１の長手軸周りに回転可能である、請求項１記載のヘアケア装置。
【請求項５】
前記第１の加熱チップは、およそ三日月形状断面を持つ、請求項１記載のヘアケア装置。
【請求項６】
前記第２の加熱チップは、
前記第１の加熱チップから離れる方を向いている側における凸状の第２の加熱表面と、
前記第１の加熱チップの方を向いており、前記第１の加熱チップの前記第１の加熱表面の外縁にマッチする凹状の輪郭を少なくとも部分的に持つ、第３の加熱表面と、
を有する、請求項１記載のヘアケア装置。
【請求項７】
前記第１の加熱チップが前記第１の位置にあるとともに、前記第１及び第２の顎が前記閉位置にある場合に、前記第２の加熱チップから距離を空けて前記距離阻止を維持するように構成された少なくとも１つの機械的止め具素子を更に有する、請求項４記載のヘアケア装置。
【請求項８】
前記第１の顎は、ユーザが、前記第１の加熱チップを前記第１のハンドル部に対して回転できるように、前記第１の加熱チップの自由端において、第１の把持素子を有し、前記第１の加熱チップの前記自由端は、前記第１の加熱チップが前記第１のハンドル部に接続される反対側にある、請求項１記載のヘアケア装置。
【請求項９】
前記第１の把持素子は、前記第１の加熱チップから熱的に絶縁されており、耐熱性合成材料を有する、請求項８記載のヘアケア装置。
【請求項１０】
前記第２の顎は、前記第２の加熱チップの自由端において、第２の把持素子を有し、前記第２の加熱チップの前記自由端は、前記第２の加熱チップが前記第２のハンドル部に接続される反対側にある、請求項８又は９に記載のヘアケア装置。
【請求項１１】
前記少なくとも１つの機械的止め具素子は、前記第１及び／又は第２の把持素子において配置される、請求項１０記載のヘアケア装置。
【請求項１２】
前記第１及び第２の顎が前記閉位置にある場合に、前記第１の加熱チップが前記第１のハンドル部に対して回転することを防ぐためのロック機構を更に有する、請求項１記載のヘアケア装置。
【請求項１３】
前記第１及び第２の把持素子は、マッチング外縁を持ち、前記第１及び第２の顎が前記閉位置にある場合に、前記第１の加熱チップが前記第１のハンドル部に対して回転することを防ぐためのロック機構が、前記第１の加熱チップが前記第２の位置にあるとともに、前記第１及び第２の顎が前記閉位置にある場合に、互いに整合する前記マッチング外縁によって実現される、請求項１０記載のヘアケア装置。
【請求項１４】
前記とげ板は、前記第１の加熱チップから熱的に絶縁されており、耐熱性合成材料を有する、請求項２記載のヘアケア装置。
【請求項１５】
前記とげ又はリブは、前記とげ板から突き出ており、複数の前記とげ又はリブは、柔軟であり、丸みを帯びた自由端を有する、請求項２記載のヘアケア装置。
【請求項１６】
前記とげ板は、前記とげ板が前記第２の顎に対向している場合に格納され、前記とげ板が前記第２の顎に対向していない場合に格納されない、複数の格納可能なとげを有する、請求項２記載のヘアケア装置。
【国際調査報告】
2016526940.tif 000021
2016526940.tif 000022
2016526940.tif 000023